(57)【要約】      （修正有）【課題】時刻設定を行うための地域コードをユーザが直感的に設定することができ、時刻設定を迅速に行うことが可能なＴＶ放送受信装置及び時刻設定方法を提供する。【解決手段】ディスプレイ手段８と、標準時間情報を取得するＴＶ放送受信手段２と、データベース記録手段６と、所定地域の現在時刻を算出する計時手段３と、ＯＳＤ表示データを作成するＯＳＤ生成手段４と、制御手段５とを備え、ユーザより現在時刻の設定を行う指示を受けたときに、前記制御手段は時間テーブルに含まれる全地域の地名とその地域の現在時刻とを含む時刻一覧表示データを生成させ、前記時刻一覧表示データを前記ディスプレイ手段８に表示させるＴＶ受像機Ａ。【選択図】図１
2008160470.tif 000002
【特許請求の範囲】
【請求項１】
映像を表示するディスプレイ手段と、
地上波デジタル放送信号を受信し、前記地上波デジタル放送信号に含まれる標準時間情報を取得するＴＶ放送受信手段と、
複数の地域における前記標準時間に対する時差情報を含む時間テーブルが記録されたデータベース記録手段と、
前記ＴＶ放送受信手段で取得された前記標準時間情報と前記時差情報をもとに所定地域の現在時刻を算出する計時手段と、
前記ディスプレイ手段に表示されるＯＳＤ表示データを作成するＯＳＤ生成手段と、
前記各手段を制御するための制御手段とを備えたＴＶ受像機であって、
ユーザより現在時刻の設定を行う指示を受けたときに、前記制御手段は前記ＴＶ放送受信手段にて取得された標準時間情報と前記データベースより前記時間テーブルとを前記計時手段に送り、前記計時手段を駆動して前記時間テーブルに含まれる全地域の現在時刻を算出させ、前記ＯＳＤ生成手段に前記時間テーブルに含まれる全地域の地名とその地域の現在時刻とを含む時刻一覧表示データを生成させ、前記時刻一覧表示データを前記ディスプレイ手段に表示させることを特徴とするＴＶ受像機。
【請求項２】
デジタル放送信号を受信し、前記デジタル放送信号に含まれる標準時間情報を取得するＴＶ放送受信手段と、
複数の地域における前記標準時間に対する時差情報を含む時間テーブルが記録されたデータベース記録手段と、
前記ＴＶ放送受信手段で取得された前記標準時間情報と前記時差情報をもとに所定地域の現在時刻を算出する計時手段と、
ＯＳＤ表示用データを作成するＯＳＤ生成手段と、
前記各手段を制御するための制御手段とを備え、
ユーザより現在時刻の設定を行う指示を受けたときに、前記制御手段は前記ＴＶ放送受信手段にて取得された標準時間情報と前記データベースより前記時間テーブルとを前記計時手段に送り、前記計時手段を駆動して前記時間テーブルに含まれる地域のうち所定の地域の現在時刻を算出させ、前記ＯＳＤ生成手段に前記所定の地域の地名とその地域の現在時刻とを含む時刻一覧表示データを生成させることを特徴とするＴＶ放送受信装置。
【請求項３】
前記時間テーブルは１又は複数の地域が所属する複数のグループを備えており、前記計時手段は前記グループごとに現在時刻の算出を行い、前記ＯＳＤ生成手段は現在時刻が算出されたグループの地域の地名及び現在時刻を含む時刻一覧表示データを生成させることを特徴とする請求項２に記載のＴＶ放送受信装置。
【請求項４】
前記グループはデジタル放送の放送方式によって分けられていることを特徴とする請求項３に記載のＴＶ放送受信装置。
【請求項５】
前記制御手段は前記ＴＶ放送受信手段が受信したデジタル放送信号の放送方式をもとに、前記時間テーブルより現在時刻を算出するグループを選出することを特徴とする請求項４に記載のＴＶ放送受信装置。
【請求項６】
地上デジタル放送信号を受信し、前記地上デジタル放送信号に含まれる標準時間情報を取得するＴＶ放送受信工程と、
複数の地域における前記標準時間に対する時差情報を含む時間テーブルを読み出す時間テーブル読み出し工程と、
前記ＴＶ放送受信工程にて取得された前記標準時間と前記時間テーブル読み出し工程にて読み出された時間テーブルをもとに所定地域の現在時刻を算出する計時工程と、
ＯＳＤ表示用データを作成するＯＳＤ生成工程とを有するＴＶ放送受信装置の時刻設定方法であって、
前記ＯＳＤ生成工程は前記現在時刻が算出された地域の地名とその地域の現在時刻とを含む時刻一覧表示データを生成することを特徴とするＴＶ放送受信装置の時刻設定方法。
【請求項７】
前記時間テーブルは１又は複数の地域が所属する複数のグループを備えており、前記計時工程は前記グループごとに現在時刻の算出を行い、前記ＯＳＤ生成工程は現在時刻が算出されたグループの地域の地名及び現在時刻を含む時刻一覧表示データを生成することを特徴とする請求項６に記載のＴＶ放送受信装置の時刻設定方法。
【請求項８】
前記グループはデジタル放送の放送方式によって分けられていることを特徴とする請求項７に記載のＴＶ放送受信装置の時刻設定方法。
【請求項９】
前記計時工程は前記ＴＶ放送受信工程で受信したデジタル放送信号の方式をもとに、前記時間テーブルより現在時刻を算出するグループを選出することを特徴とする請求項８に記載のＴＶ放送受信装置の時刻設定方法。
【発明の詳細な説明】
【技術分野】
【０００１】
本発明は、ＴＶ受像機等に含まれるＴＶ放送受信装置に関するものであり、より詳しくはＴＶ放送受信装置の時刻設定方法に関するものである。
【背景技術】
【０００２】
現在、地上波ＴＶ放送では、デジタル信号を送信する地上波デジタル放送のサービスが開始されている。地上波デジタル放送では映像、音声を含む放送信号、ＥＰＧデータ等とともに、時間情報も同時に送信されている。前記地上波デジタル放送において前記時間データは世界標準時で送られてきている。
【０００３】
ＴＶ放送受信装置は複数の地域に地域コードが設定されており、前記地域コード、前記地域の地名及びその地域の標準時と世界標準時との時差とを関連付けたデータベースである時間テーブルを備えている。前記ＴＶ放送受信装置は、前記地上波デジタル放送に含まれている前記時間情報と前記時間テーブルをもとに、設置場所の時刻と前記世界標準時との時差を加減して、前記ＴＶ放送受信装置の時刻設定を行っている。
【０００４】
前記ＴＶ放送受信装置のＯＳＤ表示機能を用いて地域コード及び地域の地名を表示し、ユーザにより選択された地域コードの時差情報と世界標準時の情報を利用して時刻設定を行っている（特開２００５−３１５５８１号公報参照）。
【特許文献１】特開２００５−３１５５８１号公報
【発明の開示】
【発明が解決しようとする課題】
【０００５】
しかしながら、地域コードが設定されている地域は、一般的によく知られている或いは人口が多い地域が選ばれていることが多く、あまり著名ではない或いは人口の少ない地域のユーザにとって自分の住んでいる地域（ＴＶ放送受信装置の設置場所）の地域コードが不明であることが多い。
【０００６】
この場合、ユーザは使用場所とそれに近い或いは同じ時間にあるであろう地域の地域コードを予想して選択する。ユーザは使用場所の地域コードを選択し表示された時刻と現在の時刻とを比較して正確な時刻になるように調整する。しかしながら、使用場所がどの地域にあるか正確にわからない場合、地域コードを選択し、比較する作業を複数回繰り返さなくてはならない場合が多く、操作が煩雑であるとともに、時刻設定に多くの時間が必要である。
【０００７】
そこで本発明は、時刻設定を行うための地域をユーザが直感的に選択することができ、時刻設定を迅速に行うことが可能なＴＶ放送受信装置及び時刻設定方法を提供することを目的とする。
【０００８】
また本発明は、時刻設定を行うための地域コード（地域名）がわからない場合であっても、設置場所に応じた適切な地域コード（地域名）を選択し、正確な時刻設定を迅速且つ容易に行うことが可能なＴＶ放送受信装置及び時刻設定方法を提供することを目的とする。
【課題を解決するための手段】
【０００９】
上記目的を達成するため本発明は、デジタル放送信号を受信し、前記デジタル放送信号に含まれる標準時間情報を取得するＴＶ放送受信手段と、複数の地域における前記標準時間に対する時差情報を含む時間テーブルが記録されたデータベース記録手段と、前記ＴＶ放送受信手段で取得された前記標準時間情報と前記時差情報をもとに所定地域の現在時刻を算出する計時手段と、ＯＳＤ表示用データを作成するＯＳＤ生成手段と、前記各手段を制御するための制御手段とを備え、ユーザより現在時刻の設定を行う指示を受けたときに、前記制御手段は前記ＴＶ放送受信手段にて取得された標準時間情報と前記データベースより前記時間テーブルとを前記計時手段に送り、前記計時手段を駆動して前記時間テーブルに含まれる地域のうち所定の地域の現在時刻を算出させ、前記ＯＳＤ生成手段に前記所定の地域の地名とその地域の現在時刻とを含む時刻一覧表示データを生成させることを特徴とする。
【００１０】
この構成によると、時刻一覧表示データに地域ごとの現在時刻を表示することができる。これにより、ユーザがＴＶ放送受信装置の設置場所が前記時刻一覧表示データに含まれる地域のいずれに属するか決定しかねる場合であっても、現在時刻に近い地域を選択することで、正しい地域を用意に設定することが可能である。
【００１１】
このことにより、ユーザがＴＶ放送受信装置の設置場所の所属地域がわからなくなっても、大まかな現在時刻がわかれば、前記ＴＶ放送受信装置の前記計時手段の内部時計を容易に且つ正確に設定することができる。
【００１２】
また、従来のＴＶ放送受信装置の制御手段による制御方法をわずかに変更することで容易に実施することが可能であり、特殊な部材、手段やプログラムを追加しなくてもよく、それだけ、安価で且つ容易に実施することが可能である。
【００１３】
上記構成において、前記時間テーブルが前記デジタル放送信号に含まれて配信されており、前記データベース記録手段は配信された前記時間テーブルを用いて、予め備えられている時間テーブルを更新することを特徴とするものであってもよい。
【００１４】
時間テーブルを更新することができることで、新たにデジタル放送のサービスが始まった場所でも、新たな時間テーブルを手に入れることができ、ＴＶ放送受信装置の時刻設定を安易且つ正確に行うことが可能である。
【００１５】
上記構成において、前記時間テーブルは１又は複数の地域が所属する複数のグループを備えており、前記計時手段は前記グループごとに現在時刻の算出を行い、前記ＯＳＤ生成手段は現在時刻が算出されたグループの地域の地名及び現在時刻を含む時刻一覧表示データを生成させることを特徴とするものであってもよい。
【００１６】
グループ分けすることで、前記グループに含まれていない地域の現在時刻の計算を省略することができ、それだけ、時刻一覧表示データを作成する時間を小さくすることが可能である。
【００１７】
さらに上記構成において、前記グループはデジタル放送の放送方式によって分けられていることを特徴とするものであってもよい。このとき、前記制御手段は前記ＴＶ放送受信手段で受信したデジタル放送信号の放送方式をもとに、前記時間テーブルのグループを決定するものであってもよい。
【００１８】
グループを受信したデジタル放送の放送方式によって自動的に決定することができるので、ユーザの操作を減らすことができ、それだけ、容易且つ正確に時刻設定を行うことが可能である。
【００１９】
本発明にかかるＴＶ放送受信制御装置を備えたものの一例として、以下に示すＴＶ受像機を挙げることができる。すなわち、映像を表示するディスプレイ手段と、地上波デジタル放送信号を受信し、前記地上波デジタル放送信号に含まれる標準時間情報を取得するＴＶ放送受信手段と、複数の地域における前記標準時間に対する時差情報を含む時間テーブルが記録されたデータベース記録手段と、前記ＴＶ放送受信手段で取得された前記標準時間情報と前記時差情報をもとに所定地域の現在時刻を算出する計時手段と、前記ディスプレイ手段に表示されるＯＳＤ表示データを作成するＯＳＤ生成手段と、前記各手段を制御するための制御手段とを備えたＴＶ受像機であって、ユーザより現在時刻の設定を行う指示を受けたときに、前記制御手段は前記ＴＶ放送受信手段にて取得された標準時間情報と前記データベースより前記時間テーブルとを前記計時手段に送り、前記計時手段を駆動して前記時間テーブルに含まれる全地域の現在時刻を算出させ、前記ＯＳＤ生成手段に前記時間テーブルに含まれる全地域の地名とその地域の現在時刻とを含む時刻一覧表示データを生成させ、前記時刻一覧表示データを前記ディスプレイ手段に表示させることを特徴とするＴＶ受像機。
【００２０】
上記目的を達成するために本発明は、地上デジタル放送信号を受信し、前記地上デジタル放送信号に含まれる標準時間情報を取得するＴＶ放送受信工程と、複数の地域における前記標準時間に対する時差情報を含む時間テーブルを読み出す時間テーブル読み出し工程と、前記ＴＶ放送受信工程にて取得された前記標準時間と前記時間テーブル読み出し工程にて読み出された時間テーブルをもとに所定地域の現在時刻を算出する計時工程と、ＯＳＤ表示用データを作成するＯＳＤ生成工程とを有するＴＶ放送受信装置の時刻設定方法であって、前記ＯＳＤ生成工程は前記所定の地域の地名とその地域の現在時刻とを含む一覧表示データを生成することを特徴とする。
【００２１】
上記構成において、前記時間テーブルは１又は複数の地域が所属する複数のグループを備えており、前記計時工程は前記グループごとに現在時刻の算出を行い、前記ＯＳＤ生成工程は現在時刻が算出されたグループの地域の地名及び現在時刻を含む時刻一覧表示データを生成するものであってもよい。
【００２２】
上記構成において、前記グループはデジタル放送の放送方式によって分けられているものであってもよい。
【００２３】
上記構成において、前記計時工程は前記ＴＶ放送受信工程で受信したデジタル放送信号の方式をもとに、前記時間テーブルより現在時刻を算出するグループを選出するものであってもよい。
【発明の効果】
【００２４】
本発明によると、時刻設定を行うための地域コード（地域名）をユーザが直感的に選択することができ、時刻設定を迅速に行うことが可能なＴＶ放送受信装置及び時刻設定方法を提供することができる。
【００２５】
また本発明によると、時刻設定を行うための地域コード（地域名）がわからない場合であっても、設置場所に応じた適切な地域コード（地域名）を選択し、正確な時刻設定を迅速且つ容易に行うことが可能なＴＶ放送受信装置及び時刻設定方法を提供することができる。
【発明を実施するための最良の形態】
【００２６】
以下に本発明の実施形態を図面を参照して説明する。図１は本発明にかかるＴＶ放送受信装置の一例であるＴＶ受像機のブロック図である。図１に示すＴＶ受像機Ａは、それには限定されないが地上波デジタル放送を受信することができる。ＴＶ受像機Ａは、少なくとも、アンテナＡＮＴと、デジタルチューナ１と、信号処理部２と、計時部３と、ＯＳＤ表示生成部４と、制御部５と、メモリ６と、出力部７と、操作入力部９と、ディスプレイ部８とを備えている。
【００２７】
アンテナＡＮＴは地上波デジタル放送の電波を受信するものである。アンテナＡＮＴはデジタルチューナ１に接続されており、アンテナＡＮＴで受信された電波はデジタルチューナ１に送られる。
【００２８】
デジタルチューナ１は、アンテナで受信された地上波デジタル放送の電波より地上波デジタル放送信号の選局を行うものである。デジタルチューナ１は受信した信号から、標準時間情報を取得することが可能である。ここで標準時間情報は主として、グリニッジ標準時間（Ｇｒｅｅｎｗｉｃｈ  Ｍｅａｎ  Ｔｉｍｅ）を挙げることができる。また、それ以外に設定された標準時間（例えば、国ごとに設定されている標準時間等）を用いることもできる。
【００２９】
デジタルチューナ１で受信された地上波デジタル放送信号は、信号処理部２で復調／誤り訂正され、映像コンテンツデータ（ＭＰＥＧ等）、番組データ、時間データが抽出される。
【００３０】
計時部３は、ＴＶ受像機Ａで用いられる時間を管理するものであり、年月日、現在時刻、視聴予約時刻、オフタイマー等の時間を管理している。計時部３はそれ自体が時計の機能を持っているものであっても良い。
【００３１】
ＯＳＤ表示生成部４は、ＴＶ放送の映像とは異なるデータ画像をディスプレイ部８に表示するためのＯＳＤ表示用データを生成するものである。ＯＳＤ表示用データとして、ＴＶ受像機Ａの各種設定を行う設定表示、電子番組表、現在時刻を設定するための現在時刻表示等を挙げることができる。
【００３２】
制御部５はＴＶ受像機Ａの各部の駆動を制御することにより映像情報処理（コンテンツの表示、ユーザからの指示命令の伝達等）を制御するための中央処理装置である。制御部５として、マイコンや、ＣＰＵ等の演算処理装置を備えているものを挙げることができる。
【００３３】
メモリ６は、ＴＶ受像機Ａが保持する各種データを一時的に記憶する媒体であり、例えば書込可能なＲＡＭ（Ｒａｎｄｏｍ  Ａｃｃｅｓｓ  Ｍｅｍｏｒｙ）等により構成されている。メモリ６は、例えば制御部５によって各種情報処理が行われる際の処理データや、ユーザから受けた指示命令等を一時的に記憶しておくためのバッファメモリとしての役割を持っている。
【００３４】
メモリ６には、予め設定されている複数の地域と、その地域と標準時間との時差情報が格納されているデータベースである時間テーブルを格納するデータベース領域６１が備えられている。データベース領域６１は、それには限定されないがここでは、読み出し専用のＲＯＭ（Ｒｅａｄ  Ｏｎｌｙ  Ｍｅｍｏｒｙ）が用いられている。
【００３５】
出力部７は、デジタルチューナ１で受信された放送データやＯＳＤ表示生成部４で作成されたＯＳＤ表示データをディスプレイ部８で表示することができる形式に変換するものである。出力部７にはデジタルデータであるコンテンツデータ、ＯＳＤデータ等をアナログデータに変換するＤ／Ａコンバータが内蔵されており、アナログデータに変換してディスプレイ部８に送られる。
【００３６】
操作入力部９は、使用者が、ＴＶ受像機Ａを操作するためのボタン群であり、図示は省略しているが、電源ボタン、選局ボタン、音量ボタン、入力切替ボタン等を有している。操作入力部９は制御部５に接続されているものであり、操作入力部９で入力された操作は制御部５に送られ、制御部５は入力された操作にあった制御を行う。
【００３７】
ディスプレイ部８は、映像を表示するための表示装置であり、それには限定されないがここでは、液晶表示パネルを利用した表示装置が採用されている。また、これ以外にも、陰極線管を用いたＣＲＴモニタや、プラズマディスプレイパネルを用いたプラズマディスプレイ等、映像を表示することができる表示装置を広く採用することができる。
【００３８】
ここで、図１に示すＴＶ受像機Ａによる現在時刻を設定する動作の手順を示す。図２は時間テーブルの一例を示す図であり、図３はＴＶ受像機の各種設定を行うときにディスプレイ部に表示されるＯＳＤ表示の一例を示す図であり、図４は現在時刻設定時にディスプレイ部に表示されるＯＳＤ表示の一例を示す図である。
【００３９】
図２に示す時間テーブルは時間設定を行うための時間テーブルである。時間テーブルはデータベース領域６１に記録されているものであり、国や領域で決められているグループごとに与えられるものである。図２に示す時間テーブル１０はグループ番号表示部１０１、地域コード１０２、地域名１０３及び時差情報１０４とを有するデータベースである。図２に示す時間テーブル１０では、グループ番号として便宜上「１」を使用しているが、実際のものと一致するとは限らない。
【００４０】
図２に示す時間テーブル１０の時差情報は、各地域の時刻のＧＭＴに対する時差であり、ＧＭＴよりも進んでいる場合に「＋」を、遅れている場合に「−」の符号が付されている。例えば、地域コード＝３のＰＡＣＩＦＩＣの場合、ＧＭＴに対して９時間遅れていることを示している。また、データベース領域６１には他のグループ番号の時間テーブルも記録されている。
【００４１】
図３に示す設定用ＯＳＤ表示２０は、ユーザがＴＶ受像機Ａの各種設定を行うときの操作用の画面である。現在時刻設定２０１は現在の時刻を設定するものであり、受信設定２０２はアンテナＡＮＴの出力設定等を行うものであり、チャンネル設定２０３は受信可能なチャンネルの選局設定を行うものであり、接続設定２０４はＤＶＤ装置、ＶＴＲ等の外部機器との接続やインターネットの接続設定を行うものであり、画像設定２０５は画面の大きさ、明るさ等の設定を行うものである。設定用ＯＳＤ表示２０はＴＶ受像機Ａの最初の起動時やユーザの要求によって表示されるものである。図中矢印で示すカーソル２０Ｃを移動することで、所定の設定項目ユーザが選択するものである。
【００４２】
図３に示す設定用ＯＳＤ表示２０で現在時刻設定２０１が選択されると、ディスプレイ部８の表示が、図４に示す現在時刻設定用ＯＳＤ表示３０に切り替わる。図４に示す現在時刻設定用ＯＳＤ表示３０は、地上デジタル放送より取得したＧＭＴデータを表示する標準時表示部３０１と、地域コード表示部３０２と、地域コードに関連付けられた地域名を表示する地域名表示部３０３と、地域コードに対応する領域の現在時刻を表示する現在時刻表示部３０４と、地域コードを選択するカーソル３０Ｃとを有している。たとえば、図４では、ＧＭＴが２４時間表示が１２：００：００であり、図２に示す時間テーブルの地域コード＝３のＰＡＣＩＦＩＣの時差情報は−９時間なので、地域コード＝３のＰａｃｉｆｉｃは３：００：００と表示されている。
【００４３】
本発明にかかるＴＶ受像機の時刻設定手順を以下に示す。図５は図１に示すＴＶ受像機の時刻設定手順のフローチャートである。時刻設定手順はまず、ユーザによりＴＶ受像機Ａの設定を行う指示が入力されると、制御部５はＯＳＤ表示生成部４に指示を送り設定用ＯＳＤ表示２０を作成させ、出力部７を介してディスプレイ部８に送り、ディスプレイ部８に設定用ＯＳＤ表示２０を表示させる（ステップＳ１１）。ユーザにより現在時刻設定の指示があると、制御部５はデジタルチューナ１に支持を送り地上波デジタル放送の受信を行う（ステップＳ１２）。制御部５はデジタルチューナ１が地上波デジタル放送を受信しているかどうか確認する（ステップＳ１３）。
【００４４】
地上波デジタル放送の受信が確認できない場合（ステップＳ１３でＮＯの場合）ステップＳ１２に戻り、制御部５はデジタルチューナ１に地上波デジタル放送の受信を実行させる。地上波デジタル放送の受信が確認された場合（ステップＳ１３でＹＥＳの場合）、制御部５は信号処理部２に指示を送り、地上波デジタル放送の電波に含まれている信号から、標準時間情報を取得させ、計時部３に送信させる（ステップＳ１４）。
【００４５】
制御部５はメモリ６のデータベース領域６１に記録されている時間テーブル１０を計時部３に送信する（ステップＳ１５）。制御部５は計時部３に標準時間情報と時間テーブル１０より、時間テーブル１０に備えられている時差情報１０４とを用いて、地域名１０３とその地域名１０３に関連する現在時刻を算出させる（ステップＳ１６）。
【００４６】
制御部５は地域名１０３と計時部３で算出された地域ごとの現在時刻とをＯＳＤ表示生成部４に送信させ、地域名及び地域名ごとの現在時刻を含む現在時刻設定用ＯＳＤ表示のデータを作成させる（ステップＳ１７）。制御部５はＯＳＤ表示生成部４にて作成された現在時刻設定用ＯＳＤ表示３０のデータを出力部７でディスプレイ部８で表示するためのデータ形式に変更し、ディスプレイ部８に送りディスプレイ部８に現在時刻設定用ＯＳＤ表示３０を表示する（ステップＳ１８）。
【００４７】
以上のようにして、地域コード３０２、地域名３０３、現在時刻３０４をディスプレイ部８に表示することができる。このように各地域コード３０２、地域名３０３に関連付けられた地域の現在時刻３０４を表示していることで、ユーザが現在のＴＶ受像機Ａの設置場所が現在時刻設定用ＯＳＤ表示３０に表示される地域名１０３で示される地域のうちどの地域に含まれるのかわからない場合であっても、現在時刻３０４を見て、設置場所の時刻に近いものを選択することで、直感的に正確な地域を選択することができ、現在時刻を正確に設定することができる。これにより、設定の手間を省くことができる。
【００４８】
図６は現在時刻設定用ＯＳＤ表示の他の例の図である。図６に示す現在時刻設定用ＯＳＤ表示３０には、地域コード＝８のＯｔｈｅｒが備えられている。それ以外は、図４に示す現在時刻設定用ＯＳＤ表示３０と同じ構成である。
【００４９】
地域コード＝８はユーザによって自由に設定することができるものである。すなわち、カーソル３０Ｃで地域コード＝８を選択すると、時刻データの時、分（、秒）をユーザが操作入力部９を利用して入力することができるものである。図２に示す時間テーブル１０に存在しない地域で現在時刻が近い設定の地域データがない場合であっても、ユーザによって自由に時刻設定を行うことで、ＥＰＧ表示等の時間に関連する表示を正確に行うことが可能である。この地域コード＝８のデータをユーザが入力して設定できるものを示しているが、それに限定されるものではない。
【００５０】
上述の時間テーブル１０はＴＶ受像機Ａに予め備えられているものであるが、デジタルテレビ放送のデータ送信、インターネット、光ディスク等を介して、新たな地域コード、地域名、時差情報等を取得し、時間テーブル１０に追加するようにしてもよい。
【００５１】
また、地上波デジタル放送の場合、放送される地域によってその放送形式が異なっており、時間テーブル１０を放送形式ごとにグループ分けして備えていてもよい。このとき、制御部５はデジタルチューナ１が受信した地上波デジタル放送の放送信号によって、その放送信号の放送形式に適合したグループの時間テーブルを読み出すようにしてもよい。
【００５２】
上記実施例において、ＴＶ放送受信装置を備えた機器の一例としてＴＶ受像機を例に説明しているが、それに限定されるものではなく、ＤＶＤレコーダ、ＴＶチューナボックス、ＶＴＲ等地上波デジタル放送を受信することができるＴＶ放送受信機能を備えた機器を広く採用することができる。
【００５３】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００５４】
本発明は、ＴＶ放送を受信することができるＴＶ放送受信装置において適用することができる。
【図面の簡単な説明】
【００５５】
【図１】本発明にかかるＴＶ放送受信装置の一例であるＴＶ受像機のブロック図である。
【図２】時間テーブルの一例を示す図である。
【図３】ＴＶ受像機の各種設定を行うときにディスプレイ部に表示されるＯＳＤ表示の一例を示す図である。
【図４】現在時刻設定時にディスプレイ部に表示されるＯＳＤ表示の一例を示す図である。
【図５】図１に示すＴＶ受像機の時刻設定手順のフローチャートである。
【図６】現在時刻設定用ＯＳＤ表示の他の例の図である。
【符号の説明】
【００５６】
１  デジタルチューナ
２  信号処理部
３  計時部
４  ＯＳＤ表示生成部
５  制御部
６  メモリ
６１  データベース領域
７  出力部
８  ディスプレイ部
９  操作入力部
１０  時間テーブル
１０１  グループ番号表示部
１０２  地域コード
１０３  地域名
１０４  時差情報
２０  操作用ＯＳＤ表示
３０  現在時刻設定用ＯＳＤ表示
３０１  標準時表示部
３０２  地域コード表示部
３０３  地域名表示部
３０４  現在時刻表示部
【図１】
2008160470.tif 000003
【図２】
2008160470.tif 000004
【図３】
2008160470.tif 000005
【図４】
2008160470.tif 000006
【図５】
2008160470.tif 000007
【図６】
2008160470.tif 000008